(57)【要約】      （修正有）【課題】遊技媒体補給装置の製造原価を低減することができると共に、トラブル発生時等に遊技機施設のスタッフ等が向かうべき遊技媒体補給装置を容易に特定することができる遊技媒体管理システムを提供する。【解決手段】遊技媒体を排出する複数の遊技媒体排出装置と、複数の遊技媒体排出装置のうち少なくとも１台の遊技媒体排出装置に遊技媒体を補給する遊技媒体補給機構３１０Ａ、３１０Ｂ、３１０Ｃを有し、相互に通信接続される複数の遊技媒体補給装置と、複数の遊技媒体補給装置のいずれか１台に通信接続され、複数の遊技媒体補給装置に関する情報を表示することが可能であると共に複数の遊技媒体補給装置を制御することが可能である１台の情報表示制御装置３１１ａとを備える。【選択図】図５
2019134838.tif 000002
【特許請求の範囲】
【請求項１】
遊技媒体を排出する複数の遊技媒体排出装置と、
前記複数の遊技媒体排出装置のうち少なくとも１台の遊技媒体排出装置に前記遊技媒体を補給する遊技媒体補給機構を有し、相互に通信接続される複数の遊技媒体補給装置と、
前記複数の遊技媒体補給装置のいずれか１台に通信接続され、前記複数の遊技媒体補給装置に関する情報を表示することが可能であると共に前記複数の遊技媒体補給装置を制御することが可能である１台の情報表示制御装置と
を備える遊技媒体管理システム。
【請求項２】
前記情報表示制御装置は、前記複数の遊技媒体補給装置を全体的に又は部分的に一括して制御する一括制御機能を有する
請求項１に記載の遊技媒体管理システム。
【請求項３】
前記情報表示制御装置は、前記複数の遊技媒体補給装置のいずれか１台に無線通信接続される
請求項１または２に記載の遊技媒体管理システム。
【請求項４】
遊技媒体を排出する複数の遊技媒体排出装置と、
前記複数の遊技媒体排出装置のうち少なくとも１台の遊技媒体排出装置に前記遊技媒体を補給する遊技媒体補給機構を有し、相互に通信接続される複数の遊技媒体補給装置と、
前記複数の遊技媒体補給装置の少なくとも１台に無線通信接続され、前記複数の遊技媒体補給装置に関する情報を表示することが可能であると共に前記複数の遊技媒体補給装置を制御することが可能である情報表示制御装置と
を備える遊技媒体管理システム。
【発明の詳細な説明】
【技術分野】
【０００１】
本発明は、遊技媒体管理システムに関する。
【背景技術】
【０００２】
現在のパチンコ・スロット店等の遊技機施設には、通常、スロットマシン等の遊技機や、メダル・コイン等の遊技媒体の貸出機に遊技媒体を自動的に補給する遊技媒体補給装置が設置されている（例えば、特開２００７−２８２８４５号公報や、特開２００８−０３６０８８号公報等参照）。そして、特に大型店舗では、遊技媒体補給装置が複数台設置されており、各遊技媒体補給装置が、遊技媒体受渡可能なようにコンベヤ等の搬送装置を介して接続されていることが多い。
【先行技術文献】
【特許文献】
【０００３】
【特許文献１】特開２００７−２８２８４５号公報
【特許文献２】特開２００８−０３６０８８号公報
【発明の概要】
【発明が解決しようとする課題】
【０００４】
ところで、遊技媒体補給装置は比較的高価な装置であり、購入側である遊技機施設からコストの低減が求められている。また、遊技媒体補給装置の遊技媒体搬送装置は遊技機や遊技媒体の貸出機まで延びており、遊技機や、遊技媒体の貸出機の近傍でトラブルが生じると、遊技機施設のスタッフ等は、トラブル発生箇所と遊技媒体補給装置の本体との間を行ったり来たりしなければならない場合がある。そして、その際、スタッフ等は、そのトラブル発生箇所に対応する遊技媒体補給装置を特定しなければならないが、経験が浅いスタッフ等にとってはその特定も容易ではない。
【０００５】
本発明の課題は、遊技媒体補給装置の製造原価を低減することができると共に、トラブル発生時等に遊技機施設のスタッフ等が向かうべき場所を容易に特定することができる遊技媒体管理システムを提供することにある。
【課題を解決するための手段】
【０００６】
本発明の第１局面に係る遊技媒体管理システムは、複数の遊技媒体排出装置、複数の遊技媒体補給装置および１台の情報表示制御装置を備える。遊技媒体排出装置は、遊技媒体を排出する。なお、遊技媒体排出装置とは、例えば、遊技を実行にするに際して遊技媒体の利用を要すると共に遊技の報酬として遊技媒体を付与する遊技機や、遊技媒体を有料で貸し出す遊技媒体貸出機等である。遊技媒体補給装置は、遊技媒体補給機構を有する。遊技媒体補給機構は、複数の遊技媒体排出装置のうち少なくとも１台の遊技媒体排出装置に遊技媒体を補給する。また、これらの遊技媒体補給装置は、相互に通信接続されている。なお、これらの遊技媒体補給装置は、有線通信接続されていてもよいし、無線通信接続されてもよい。また、これらの遊技媒体装置は、ベルトコンベヤ等の遊技媒体搬送装置で相互接続されてもよい。かかる場合、各遊技媒体補給装置における遊技媒体の貯留数を調整したりすることができる。情報表示制御装置は、複数の遊技媒体補給装置のいずれか１台に通信接続されている。なお、この情報表示制御装置は、複数の遊技媒体補給装置に有線通信接続されていてもよいし、無線通信接続されてもよい。また、この情報表示制御装置は、外付けされてもよいし、内蔵されてもよいし、独立していてもよい。また、この情報表示制御装置は、複数の遊技媒体補給装置に関する情報を表示することが可能であると共に複数の遊技媒体補給装置を制御することができる。なお、この情報表示制御装置は、複数の遊技媒体補給装置に関する情報を遊技媒体補給装置単位で切換表示するように構成されていてもよいし、複数の遊技媒体補給装置に関する情報を一括表示するように構成されていてもよい。
【０００７】
上述の通り、本発明に係る遊技媒体管理システムでは、複数の遊技媒体補給装置のいずれか１台に情報表示制御装置が通信接続されている。これに対し、従前の遊技媒体管理システムでは、複数の遊技媒体補給装置それぞれに情報表示制御装置が設けられていた。このため、本発明に係る遊技媒体管理システムでは、遊技媒体補給装置の製造原価を低減することができる。
【０００８】
また、この遊技媒体管理システムでは、情報表示制御装置は、複数の遊技媒体補給装置に関する情報を表示することが可能であると共に複数の遊技媒体補給装置を制御することができる。このため、この遊技媒体管理システムでは、トラブル発生時等、遊技機施設のスタッフ等は、迷うことなくただ１台の情報表示制御装置に向かえばよい。したがって、この遊技媒体管理システムでは、トラブル発生時等、スタッフ等は、向かうべき場所を容易に特定することができる。
【０００９】
本発明の第２局面に係る遊技媒体管理システムは、第１局面に係る遊技媒体管理システムであって、情報表示制御装置は、一括制御機能を有する。一括制御機能では、複数の遊技媒体補給装置が全体的に又は部分的に一括して制御される。なお、この一括制御機能とは、例えば、複数の遊技媒体補給装置の運転モードを一括して、ある特定のモードに移行させる機能等である。ここで、ある特定のモードとは、例えば、「遊技媒体排出装置への遊技媒体の補給停止を行うモード」や、「遊技媒体補給装置を保守状態にするモード」、「遊技媒体補給装置において遊技媒体を洗浄するモード」、「遊技媒体補給装置の洗浄機を保守状態にするモード」等である。なお、複数の遊技媒体補給装置を部分的に一括して制御する場合、一括制御対象を都度選択するようにしてもよいし、予めグルーピングしておいてもよい。
【００１０】
上述の通り、この遊技媒体管理システムでは、情報表示制御装置が一括制御機能を有する。このため、この遊技媒体管理システムは、遊技機施設のスタッフ等の作業性を向上させることができる。
【００１１】
本発明の第３局面に係る遊技媒体管理システムは、第１局面または第２局面に係る遊技媒体管理システムであって、情報表示制御装置は、複数の遊技媒体補給装置のいずれか１台に無線通信接続されている。
【００１２】
上述の通り、この遊技媒体管理システムでは、複数の遊技媒体補給装置のいずれか１台に情報表示制御装置が無線通信接続されている。このため、この遊技媒体管理システムでは、トラブル発生時等、遊技機施設のスタッフ等が情報表示制御装置を持ち運ぶことができる。したがって、この遊技媒体管理システムでは、トラブル発生時等、遊技機施設のスタッフ等がトラブル発生箇所−情報表示制御装置間を行ったり来たりしなければならないことをできるだけ抑制することができる。
【００１３】
本発明の第４局面に係る遊技媒体管理システムは、複数の遊技媒体排出装置、複数の遊技媒体補給装置および情報表示制御装置を備える。遊技媒体排出装置は、遊技媒体を排出する。なお、遊技媒体排出装置とは、例えば、遊技を実行にするに際して遊技媒体の利用を要すると共に遊技の報酬として遊技媒体を付与する遊技機や、遊技媒体を有料で貸し出す遊技媒体貸出機等である。遊技媒体補給装置は、遊技媒体補給機構を有する。遊技媒体補給機構は、複数の遊技媒体排出装置のうち少なくとも１台の遊技媒体排出装置に遊技媒体を補給する。また、これらの遊技媒体補給装置は、相互に通信接続されている。なお、これらの遊技媒体補給装置は、有線通信接続されていてもよいし、無線通信接続されていてもよい。情報表示制御装置は、複数の遊技媒体補給装置の少なくとも１台に無線通信接続されている。なお、ここで、情報表示制御装置の台数は特に限定されず、遊技媒体補給装置の台数未満であってもよいし、同一台数であってもよいし、遊技媒体補給装置の台数超であってもよい。また、この情報表示制御装置は、遊技媒体補給装置から取り外しすることができるように構成されていてもよいし、遊技媒体補給装置から独立して存在していてもよい。また、この情報表示制御装置は、複数の遊技媒体補給装置に関する情報を表示することが可能であると共に複数の遊技媒体補給装置を制御することが可能である。また、この情報表示制御装置は、複数の遊技媒体補給装置に関する情報を遊技媒体補給装置単位で切換表示するように構成されていてもよいし、複数の遊技媒体補給装置に関する情報を一括表示するように構成されていてもよい。
【００１４】
ところで、現在のパチンコ・スロット店等の遊技機施設には、通常、スロットマシン等の遊技機や、メダル・コイン等の遊技媒体の貸出機に遊技媒体を自動的に補給する遊技媒体補給装置が設置されている（例えば、特開２００７−２８２８４５号公報や、特開２００８−０３６０８８号公報等参照）。そして、特に大型店舗では、遊技媒体補給装置が複数台設置されており、各遊技媒体補給装置が、遊技媒体受渡（相互補給）可能なようにコンベヤ等の搬送装置を介して接続されていることが多い。
【００１５】
そして、遊技媒体補給装置の遊技媒体搬送装置は遊技機や遊技媒体の貸出機まで延びており、遊技機や、遊技媒体の貸出機の近傍でトラブルが生じると、遊技機施設のスタッフ等は、トラブル発生箇所と遊技媒体補給装置の本体との間を行ったり来たりしなければならない場合があり、遊技中の顧客を比較的長時間待たせてしまうこともある。本発明の課題は、トラブル発生時等において、遊技機施設のスタッフ等がトラブル発生箇所と遊技媒体補給装置の本体との間を行ったり来たりしなければならないことをできるだけ抑制することである。
【００１６】
これに対して、上述の遊技媒体管理システムでは、情報表示制御装置が複数の遊技媒体補給装置の少なくとも１台に無線通信接続されており、複数の遊技媒体補給装置に関する情報を表示することが可能であると共に複数の遊技媒体補給装置を制御することが可能である。このため、この遊技媒体管理システムでは、トラブル発生時等、遊技機施設のスタッフ等が情報表示制御装置を持ち運ぶことができる。したがって、この遊技媒体管理システムでは、トラブル発生時等、遊技機施設のスタッフ等がトラブル発生箇所−情報表示制御装置間を行ったり来たりしなければならないことをできるだけ抑制することができる。
【図面の簡単な説明】
【００１７】
【図１】本発明の第１実施形態に係る遊技機システムの平面図であって、遊技機システムの概略構成を示している。
【図２】本発明の第１実施形態に係る遊技機システムにおける特定の遊技機、遊技媒体貸出機、およびそれらに対応する遊技媒体補給ユニットならびに計数機および計数タンクの配置を示す側面図である。
【図３】本発明の第１実施形態に係る遊技機システムを構成する遊技機の概略構成図である。図中、実線矢印は遊技媒体の流れを示し、破線矢印は制御信号や各種情報の流れを示している。
【図４】本発明の第１実施形態に係る遊技機システムを構成する遊技媒体貸出機の概略構成図である。図中、実線矢印は遊技媒体の流れを示し、一点鎖線矢印は貨幣の流れを示し、破線矢印は制御信号や各種情報の流れを示している。
【図５】本発明の第１実施形態に係る遊技機システムを構成する複数台の遊技媒体補給ユニットおよび遊技媒体搬送コンベヤならびに計数機および計数タンクの配置を示す正面図である。
【図６】本発明の第１実施形態に係る遊技機システムを構成する遊技媒体補給ユニットの内部構造を示す斜視図である。
【図７】本発明の第１実施形態に係る遊技機システムの部分ブロック図である。図中、実線矢印は遊技媒体の流れを示し、破線矢印は制御信号や各種情報の流れを示している。
【図８】本発明の第１実施形態に係る遊技機システムを構成する遊技媒体補給ユニットの表示ユニットに表示されるメイン画面を示す図である。
【図９】本発明の第１実施形態に係る遊技機システムを構成する遊技媒体補給ユニットの表示ユニットに表示されるメニュー画面を示す図である。
【図１０】本発明の第１実施形態に係る遊技機システムを構成する遊技媒補給理ユニットの表示ユニットに表示される設定画面を示す図である。
【図１１】本発明の第１実施形態に係る遊技機システムにおけるエラー発生からエラー解除までの流れを示すフローチャートである。
【図１２】本発明の第１実施形態に係る遊技機システムを構成する遊技媒体補給ユニットの一括制御の流れを示すフローチャートである。
【図１３】本発明の第２実施形態に係る遊技機システムを構成する複数台の遊技媒体補給ユニットおよび遊技媒体搬送コンベヤならびに計数機および計数タンクの配置を示す正面図である。
【発明を実施するための形態】
【００１８】
−第１実施形態−
本発明の第１実施形態に係る遊技機システム１は、図１に示されるように、主に、遊技機１０Ａ，１０Ｂ，１０Ｃ、遊技媒体貸出機２０Ａ，２０Ｂ，２０Ｃ、遊技媒体補給装置３０から構成されている。以下、これらの構成装置について詳述するが、複数台存在する遊技機１０Ａ，１０Ｂ，１０Ｃおよび遊技媒体貸出機２０Ａ，２０Ｂ，２０Ｃはいずれも同様の構造を有するため、遊技機１０Ａ，１０Ｂ，１０Ｃおよび遊技媒体貸出機２０Ａ，２０Ｂ，２０Ｃについては代表して符号１０Ａを付した遊技機、符号２０Ａを付した遊技媒体貸出機についてのみ説明する。
【００１９】
＜遊技機システムの構成装置の詳細＞
（１）遊技機
本発明の第１実施形態に係る遊技機１０Ａは、図１および図２に示されるように、複数台設けられており、遊技媒体貸出機２０Ａと交互に配列されている。すなわち、遊技機１０Ａは遊技媒体貸出機２０Ａと一対をなして配列されていると言える。なお、以下、このような遊技機１０Ａと遊技媒体貸出機２０Ａとの一群を「島」と称することがある。また、図１中、その「島」には符号ＩＬａ，ＩＬｂ，ＩＬｃを付している。
【００２０】
遊技機１０Ａは、遊技操作に際してメダル等の遊技媒体ＰＭを要するスロットマシンや、パチンコ台等の遊技機であって、図３に示されるように、主に、遊技機構１１０Ａ、遊技機制御部１２０Ａ、遊技媒体投入部１３０Ａ、遊技媒体検知部１４０Ａおよび遊技媒体貯留部１５０Ａから構成されている。以下、これらの構成要素について詳述する。
【００２１】
遊技機構１１０Ａは、遊技を具現化する機構である。この遊技機構１１０Ａは、図３に示されるように、遊技機制御部１２０Ａに通信接続されており、遊技機制御部１２０Ａによってその動作が制御される。また、この遊技機構１１０Ａには、遊技媒体ＰＭの受け皿（図示せず）や、大当たり等の発生イベントを検知するイベント検知装置（図示せず）等が設けられている。このイベント検知装置は、遊技機制御部１２０Ａに通信接続されており、大当たり等のイベントが生じたことを検知すると、遊技機制御部１２０Ａにイベント検知信号を送信する。そして、そのイベント検知信号を受信した遊技機制御部１２０Ａは、遊技媒体貯留部１５０Ａの排出機構（後述）のモータ（後述）を駆動させて、一定数量の遊技媒体ＰＭを遊技機構１１０Ａの受け皿に排出する。
【００２２】
遊技機制御部１２０Ａは、遊技機構１１０Ａの各構成部品を制御する部位であって、例えば、マイクロコンピュータ等である。この遊技機制御部１２０Ａは、図３に示されるように、遊技機構１１０Ａ、遊技媒体検知部１４０Ａおよび遊技媒体貯留部１５０Ａに通信接続されている。そして、この遊技機制御部１２０Ａは、上述の通り、遊技機構１１０の動作を制御したり、遊技機構１１０Ａの検知装置から送信されてくる検知信号に基づいて遊技媒体貯留部１５０Ａの動作を制御したりする。
【００２３】
遊技媒体投入部１３０Ａは、遊技者が遊技媒体ＰＭを投入する部位であって、投入された遊技媒体ＰＭの姿勢を整えて遊技媒体検知部１４０Ａに供給するように構成されている。
【００２４】
遊技媒体検知部１４０Ａには、遊技媒体投入部１３０Ａに投入された遊技媒体ＰＭが通過する。そして、この遊技媒体検知部１４０Ａは、その通過する遊技媒体ＰＭを検知してカウントする。なお、この遊技媒体検知部１４０Ａは図３に示されるように遊技機制御部１２０Ａに通信接続されており、遊技媒体検知部１４０Ａにおいて計数された遊技媒体ＰＭの数量情報は、遊技機制御部１２０Ａに送信される。
【００２５】
遊技媒体貯留部１５０Ａは、遊技媒体検知部１４０Ａを通過した遊技媒体ＰＭや、遊技媒体補給ユニット３１０Ａから補給される遊技媒体ＰＭを貯留するための部位であって、主に、貯留タンク（図示せず）、レベルセンサ、排出シューター（図示せず）、オーバーフローシューター（図示せず）、排出機構（図示せず）、計数センサ（図示せず）から構成されている。貯留タンクは、遊技媒体ＰＭを貯留するための容器である。レベルセンサは、導電式接触センサや赤外線センサ等であって、貯留タンクの所定の高さに配設されている。このレベルセンサは、後述する遊技媒体補給コンベヤ３６０Ａの中継基板ユニット３６２ａに接続されており、貯留タンク内の遊技媒体ＰＭが一定量を下回わったのを検知すると、その検知信号を中継基板ユニット３６２ａに送信する。そして、この検知信号を受けた中継基板ユニット３６２ａは、遊技媒体補給要求信号を生成し、その遊技媒体補給要求信号を遊技媒体補給ユニット３１０Ａに送信する。排出シューターは、貯留タンクの下側から外方に延びており、貯留タンクに連通している。なお、この排出シューターは、遊技機構１１０Ａの受け皿まで延びている。オーバーフローシューターは、貯留タンクの上側から外方に延びており、貯留タンクに連通している。なお、このオーバーフローシューターの先端の下方には、後述する遊技媒体回収コンベヤ３７０Ａが配設されている。排出機構は、貯留タンクの下端部に配設されている。この排出機構は、遊技媒体貯留部１５０Ａに貯留されている遊技媒体ＰＭを排出シューターへ排出する役目を担うものであって、主に、回転盤およびモータから構成されている。回転盤は、遊遊技媒体ＰＭを一定方向に送り出す部材であって、モータの回転軸に結合されている。モータは、遊技機制御部１２０Ａに接続されており、遊技機制御部１２０Ａによってその動作が制御される。この遊技機制御部１２０Ａは、計数センサから送信されてくる遊技媒体ＰＭの数の情報（以下「検知遊技媒体数量情報」という。）が排出遊技媒体数量情報に一致するまでモータを駆動させ、検知遊技媒体数量情報が排出遊技媒体数量情報と一致した時点でモータを停止させる。その結果、排出遊技媒体数量情報に応じた数量の遊技媒体ＰＭが遊技機構１１０Ａの受け皿に排出される。この計数センサは、遊技機制御部１２０Ａに通信接続されており、検知遊技媒体数量情報を遊技機制御部１２０Ａに送信する。なお、遊技媒体ＰＭがオーバーフローシューターの位置まで貯留されると、その後さらに貯留タンクに送られてくる遊技媒体ＰＭは、オーバーフローシューターを通って遊技媒体回収コンベヤ３７０Ａに送られる。
【００２６】
（２）遊技媒体貸出機
本発明の第１実施形態に係る遊技媒体貸出機２０Ａは、図１および図２に示されるように、複数台設けられており、遊技機１０Ａと交互に配列されている。すなわち、遊技媒体貸出機２０Ａは遊技機１０Ａと一対をなして配列されていると言える。
【００２７】
遊技媒体貸出機２０Ａは、遊技機で遊技をするために必要となる遊技媒体ＰＭを、貨幣ＭＮと引き換えにして貸し出す機械であって、図４に示されるように、主に、貨幣投入部２１０Ａ、貨幣識別部２２０Ａ、貨幣貯留部２３０Ａ、貸出機制御部２４０Ａ、遊技媒体貯留部２５０Ａ、遊技媒体受け部２６０Ａ、情報表示部（図示せず）および貸出ボタン（図示せず）から構成されている。以下、これらの構成要素について詳述する。
【００２８】
貨幣投入部２１０Ａは、遊技を楽しもうとする者が遊技媒体ＰＭを借り入れる対価としての貨幣ＭＮを投入する部位であって、投入された貨幣ＭＮを仕分けすると共に貨幣ＭＮの姿勢を整えて貨幣貯留部２３０Ａに送り込む役目を担っている。
【００２９】
貨幣識別部２２０Ａは、紙幣や硬貨の種別を識別する部位であって、貨幣投入部２１０Ａと貨幣貯留部２３０Ａとの間に配設されている。そして、この貨幣識別部２２０Ａは、通過する紙幣の券種や硬貨の種別を認識して、貨幣額を計算する。そして、貨幣識別部２２０Ａは、その貨幣額の情報を貸出機制御部２４０Ａに送信する。
【００３０】
貨幣貯留部２３０Ａは、貨幣投入部２１０Ａから貨幣識別部２２０Ａを通って送られてくる紙幣や硬貨を貯留するための部位であって、複数の紙幣収容部および硬貨収容部を有している。紙幣収容部には紙幣が収容され、硬貨収容部には硬貨が収容される。
【００３１】
貸出機制御部２４０Ａは、遊技媒体貸出機２０Ａの各構成部品を制御する部位であって、例えば、マイクロコンピュータ等である。この貸出機制御部２４０Ａは、図４に示されるように、貨幣識別部２２０Ａおよび遊技媒体貯留部２５０Ａに通信接続されている。そして、この貸出機制御部２４０Ａは、貨幣識別部２２０Ａから貨幣額の情報を受信すると、その貨幣額の情報を入金貨幣情報として情報表示部に表示する。その後、この貸出機制御部２４０Ａは、貸出ボタンが押圧されたことを検知すると、遊技媒体貯留部２５０Ａに対して遊技媒体ＰＭの排出指令信号と共に、上述の遊技媒体ＰＭの数量情報を送信する。この排出指令信号および数量情報を受信した遊技媒体貯留部２５０Ａは、数量情報に応じた数量の遊技媒体ＰＭを遊技媒体受け部２６０Ａに排出する。
【００３２】
遊技媒体貯留部２５０Ａは、遊技媒体補給ユニット３１０Ａから補給される遊技媒体ＰＭを貯留するための部位であって、主に、貯留タンク（図示せず）、レベルセンサ、排出シューター（図示せず）、排出機構（図示せず）、計数センサ（図示せず）から構成されている。貯留タンクは、遊技媒体ＰＭを貯留するための容器である。レベルセンサは、導電式接触センサや赤外線センサ等であって、貯留タンクの所定の高さに配設されている。このレベルセンサは、後述する遊技媒体補給コンベヤ３６０Ａの中継基板ユニット３６２ａに接続されており、貯留タンク内の遊技媒体ＰＭが一定量を下回わったのを検知すると、その検知信号を中継基板ユニット３６２ａに送信する。そして、この検知信号を受けた中継基板ユニット３６２ａは、遊技媒体補給要求信号を生成し、その遊技媒体補給要求信号を遊技媒体補給ユニット３１０Ａに送信する。排出シューターは、貯留タンクの下側から外方に延びており、貯留タンクに連通している。なお、この排出シューターは、遊技媒体受け部２６０Ａまで延びている。排出機構は、貯留タンクの下端部に配設されている。この排出機構は、遊技媒体貯留部２５０Ａに貯留されている遊技媒体ＰＭを排出シューターへ排出する役目を担うものであって、主に、回転盤およびモータから構成されている。回転盤は、遊技媒体ＰＭを一定方向に送り出す部材であって、モータの回転軸に結合されている。モータは、貸出機制御部２４０Ａに接続されており、貸出機制御部２４０Ａによってその動作が制御される。この貸出機制御部２４０Ａは、計数センサから送信されてくる遊技媒体ＰＭの数の情報（以下「検知遊技媒体数量情報」という。）が排出遊技媒体数量情報に一致するまでモータを駆動させ、検知遊技媒体数量情報が排出遊技媒体数量情報と一致した時点でモータを停止させる。その結果、排出遊技媒体数量情報に応じた数量の遊技媒体ＰＭが遊技媒体受け部２６０Ａに排出される。この計数センサは、貸出機制御部２４０Ａに通信接続されており、検知遊技媒体数量情報を貸出機制御部２４０Ａに送信する。
【００３３】
遊技媒体受け部２６０Ａは、遊技媒体貯留部２５０Ａから排出される遊技媒体ＰＭを受ける部位であって、例えば、受け皿等である。
【００３４】
（３）遊技媒体補給装置
本発明の第１実施形態に係る遊技媒体補給装置３０は、図１に示されるように、主に、遊技媒体補給ユニット３１０Ａ，３１０Ｂ，３１０Ｃ、遊技媒体搬送コンベヤ３５０Ａ，３５０Ｂ、遊技媒体補給コンベヤ３６０Ａ，３６０Ｂ，３６０Ｃ、遊技媒体回収コンベヤ３７０Ａ，３７０Ｂ，３７０Ｃ、計数機３８０および計数タンク３９０から構成されている。
【００３５】
（３−１）遊技媒体補給ユニット
本発明の第１実施形態に係る遊技媒体補給ユニット３１０Ａ，３１０Ｂ，３１０Ｃは、図１および図２に示されるように、各島ＩＬａ，ＩＬｂ，ＩＬｃの片端側に配設されている。また、図１および図５に示されるように、遊技媒体補給ユニット３１０Ａと遊技媒体補給ユニット３１０Ｂとは遊技媒体搬送コンベヤ３５０Ａを介して遊技媒体受渡（相互補給）可能に接続されており、遊技媒体補給ユニット３１０Ｂと遊技媒体補給ユニット３１０Ｃとは遊技媒体搬送コンベヤ３５０Ｂを介して遊技媒体受渡（相互補給）可能に接続されている。また、図１、図２および図５に示されるように、遊技媒体補給ユニット３１０Ａの近傍には計数機３８０および計数タンク３９０が配設されている（なお、図中、遊技媒体補給ユニット３１０Ｂ，３１０Ｃの近傍には計数機３８０および計数タンク３９０が配設されていない。）。そして、この計数タンク３９０は、搬送装置（図示せず）を介して遊技媒体搬出可能に遊技媒体補給ユニット３１０Ａに接続されている（図７参照）。
【００３６】
以下、遊技媒体補給ユニット３１０Ａ，３１０Ｂ，３１０Ｃの内部構造等について詳述するが、複数台存在する遊技媒体補給ユニット３１０Ａ，３１０Ｂ，３１０Ｃは、遊技媒体補給ユニット３１０Ａが唯一表示ユニットを備える点以外、同様の構造を有するため、遊技媒体補給ユニット３１０Ａ，３１０Ｂ，３１０Ｃについては代表して符号３１０Ａを付した遊技媒体補給ユニットについてのみ説明する。
【００３７】
遊技媒体補給ユニット３１０Ａは、遊技機１０Ａおよび遊技媒体貸出機２０Ａへ遊技媒体ＰＭを供給したり、遊技機１０Ａおよび遊技媒体貸出機２０Ａから回収される遊技媒体ＰＭを洗浄して貯留したりするユニットであって、図６および図７に示されるように、主に、表示ユニット３１１ａ、制御ユニット３１２ａ、電源ユニット３１３ａ、補給タンク３１４ａ、洗浄機３１５ａ、補給タンクコンベヤ３１６ａ、集塵機３１７ａ、補給リフト３１８ａ、回収リフト３１９ａ、表示灯３２０ａ、三方向ダクトユニット３２１ａおよび島間補給コンベヤ３２２ａから構成されている。
【００３８】
表示ユニット３１１ａは、タッチパネル等の情報入出力装置であって、図７に示されるように、制御ユニット３１２ａに通信接続されている。なお、この表示ユニット３１１ａは、遊技媒体補給ユニット３１０Ｂ，３１０Ｃには設けられておらず（すなわち表示ユニット３１１ｂ，３１１ｃは存在しない）、遊技媒体補給ユニット３１０Ａにのみ設けられている。表示ユニット３１１ａは、使用者の操作によって複数種類の画面を切換表示することができる。なお、このような画面としては、例えば、メイン画面や、パスワード入力画面、メニュー表示画面、各種設定画面、各種エラー表示画面、各種エラー解除方法表示画面、各種履歴表示画面等が挙げられる。また、この表示ユニット３１１ａは、予め規定された画面において操作ボタンを表示し、その操作ボタンからの入力を受け付けるように構成されている。なお、画面の一部については、本発明の実施の形態に係る遊技媒体補給ユニット３１０Ａ，３１０Ｂ，３１０Ｃの一括操作機能を説明する際に併せて説明する。
【００３９】
制御ユニット３１２ａは、主に、表示ユニット３１１ａ、電源ユニット３１３ａ、洗浄機３１５ａ、集塵機３１７ａおよび表示灯３２０ａに通信接続されている（図７参照）。そして、この制御ユニット３１２ａは、表示ユニット３１１ａから送信される入力情報や、洗浄機３１５ａおよび集塵機３１７ａ等から送信される状態情報等の情報を受信すると共に、その入力情報や状態情報等の情報に基づいて表示ユニット３１１ａに特定の画面や情報を表示したり（画面を切り換えることを含む）、電源ユニット３１３ａから電源供給を受けて、内部のリレー基板（図示せず）により洗浄機３１５ａおよび集塵機３１７ａ等の動作を制御したりする。また、この制御ユニット３１２ａは、遊技媒体補給ユニット３１０Ａが正常運転をしている場合、表示灯３２０ａを青色等に点灯させ、遊技媒体補給ユニット３１０Ａに異常が生じた場合、表示灯３２０ａを赤色等に点灯させる。また、この制御ユニット３１２ａは、電源ユニット３１３ａから電源供給を受けて、内部のリレー基板（図示せず）により、補給タンクコンベヤ３１６ａ、補給リフト３１８ａ、回収リフト３１９ａ、三方向ダクトユニット３２１ａの三方向振分機（後述）および島間補給コンベヤ３２２ａを作動させたり停止させたりする。
【００４０】
また、この制御ユニット３１２ａは、上述の通り、遊技媒体補給コンベヤ３６０Ａの中継基板ユニット３６２ａ（後述）、遊技媒体補給ユニット３１０Ｂの制御ユニット（図示せず）および遊技媒体補給ユニット３１０Ｃの制御ユニット（図示せず）にも通信接続されている。そして、この制御ユニット３１２ａは、中継基板ユニット３６２ａ（後述）、遊技媒体補給ユニット３１０Ｂおよび遊技媒体補給ユニット３１０Ｃから送信される状態情報等の情報を受信すると共に、その状態情報等の情報に基づいて表示ユニット３１１ａに特定の画面や情報を表示する（画面を切り換えることを含む）。さらに、この制御ユニット３１２ａは、電源ユニット３１３ａから電源供給を受けて、内部のリレー基板（図示せず）により、遊技媒体補給コンベヤ３６０Ａ、遊技媒体回収コンベヤ３７０Ａおよび計数タンク３９０の搬送コンベヤ（図示せず）を作動させたり停止させたりする。そして、この制御ユニット３１２ａは、中継基板ユニット３６２ａ（後述）から送信される遊技媒体補給要求信号等を受信した際にその遊技媒体補給要求信号等に応じて表示ユニット３１１ａに情報を表示したり、電源ユニット３１３ａから電源供給を受けて、内部のリレー基板（図示せず）により補給タンクコンベヤ３１６ａ、補給リフト３１８ａおよび遊技媒体補給コンベヤ３６０Ａ等を作動させて遊技機１０Ａや遊技媒体貸出機２０Ａに遊技媒体ＰＭを供給したりする。さらに、この制御ユニット３１２ａは、遊技媒体補給ユニット３１０Ｂの制御ユニットから送信される遊技媒体補給要求信号等を受信した際にその遊技媒体補給要求信号等に応じて表示ユニット３１１ａに情報を表示したり、電源ユニット３１３ａから電源供給を受けて、内部のリレー基板（図示せず）により回収リフト３１９ａ、三方向ダクトユニット３２１ａの三方向振分機（後述）および島間補給コンベヤ３２２ａ等を作動させて遊技媒体補給ユニット３１０Ｂに遊技媒体ＰＭを供給したりする。なお、ここで、制御ユニットが遊技媒体補給ユニット３１０Ｂの制御ユニットである場合、その制御ユニットは、遊技媒体補給ユニット３１０Ａ，３１０Ｃの制御ユニットから送信される遊技媒体補給要求信号等を受信した際にその遊技媒体補給要求信号等に応じて遊技媒体補給ユニット３１０Ａの表示ユニット３１１ａに情報を表示したり、電源ユニット３１３ａから電源供給を受けて、内部のリレー基板（図示せず）により遊技媒体補給ユニット３１０Ｂの回収リフト、三方向ダクトユニットの三方向振分機および島間補給コンベヤ等を作動させて遊技媒体補給ユニット３１０Ａ，３１０Ｃに遊技媒体ＰＭを供給したりする。
【００４１】
電源ユニット３１３ａは、電源、電源のブレーカーヒューズおよび端子台等を有しており、制御ユニット３１２ａおよび電力ケーブル（図示せず）を介して表示ユニット３１１ａ、補給タンク３１４ａ、洗浄機３１５ａ、補給タンクコンベヤ３１６ａ、集塵機３１７ａ、補給リフト３１８ａ、回収リフト３１９ａ、表示灯３２０ａ、三方向ダクトユニット３２１ａ、島間補給コンベヤ３２２ａ、遊技媒体補給コンベヤ３６０Ａ、遊技媒体回収コンベヤ３７０Ａおよび計数タンク３９０の搬送コンベヤ（図示せず）等に接続されている。そして、この電源ユニット３１３ａは、制御ユニット３１２ａを介して表示ユニット３１１ａ、洗浄機３１５ａ、集塵機３１７ａ、表示灯３２０ａ、補給タンク３１４ａ、補給タンクコンベヤ３１６ａ、補給リフト３１８ａ、回収リフト３１９ａ、三方向ダクトユニット３２１ａの三方向振分機（後述）、島間補給コンベヤ３２２ａ、遊技媒体補給コンベヤ３６０Ａ、遊技媒体回収コンベヤ３７０Ａおよび計数タンク３９０の搬送コンベヤに対して電源供給を行うと共に、これらの装置を制御している。
【００４２】
補給タンク３１４ａには、遊技媒体ＰＭが貯留される。なお、この補給タンク３１４ａには、洗浄機３１５ａで洗浄された遊技媒体ＰＭのみが貯留される。
【００４３】
洗浄機３１５ａは、例えば、ブラシユニットや、ウェットクロスユニット等である。ブラシユニットは、円筒ブラシ、円筒ブラシを回転可能に軸支する軸受け、円筒ブラシを軸回りに回転させるモータ等の回転駆動源等を有する。このようなブラシユニットでは、投入された遊技媒体ＰＭの表面が、回転する円筒ブラシにより擦られ、その結果、遊技媒体ＰＭのくぼみや溝に入った塵埃等がかき出されて、遊技媒体ＰＭが浄化される。ウェットクロスユニットは、ウェットクロス、ウェットクロスの支持体、搬送装置等を有する。搬送装置は、ウェットクロス近傍に配設されている。また、ウェットクロスには液体が浸み込んでいる。このようなウェットクロスユニットでは、遊技媒体ＰＭがウェットクロスに押し付けられながら搬送装置によって搬送されることによって遊技媒体ＰＭが洗浄される。
【００４４】
補給タンクコンベヤ３１６ａは、補給タンク３１４ａから遊技媒体ＰＭを補給リフト３１８ａの遊技媒体受け口に排出する役目を担うものである。遊技機１０Ａの遊技機制御部１２０Ａや、遊技媒体貸出機２０Ａの貸出機制御部２４０Ａから制御ユニット３１２ａに遊技媒体ＰＭの遊技媒体補給要求信号が送信されてくると、制御ユニット３１２ａが補給タンクコンベヤ３１６ａに駆動指令信号を送信する。駆動指令信号を受信した補給タンクコンベヤ３１６ａは、一定時間駆動して一定の量の遊技媒体ＰＭを補給リフト３１８ａの遊技媒体受け口に排出する。
【００４５】
集塵機３１７ａは、いわゆる吸引器であって、洗浄機３１５ａに連通している。すなわち、この集塵機３１７ａは、洗浄機３１５ａによりかき出された塵埃等を吸引する。
【００４６】
補給リフト３１８ａは、補給タンクコンベヤ３１６ａから受け取った遊技媒体ＰＭをリフトアップして、遊技媒体ＰＭを遊技媒体補給コンベヤ３６０Ａに受け渡す役目を担っている。
【００４７】
回収リフト３１９ａは、遊技媒体回収コンベヤ３７０Ａから受け取った遊技媒体ＰＭをリフトアップして、三方向ダクトユニット３２１ａの三方向振分機（図示せず）に受け渡す役目を担っている。
【００４８】
表示灯３２０ａは、遊技機システム１の状態を使用者が離れたところからでも確認することできるように設けられているものであって、遊技機システム１の状態を色分けして使用者に知らせるものである。具体的には、上述の通り、表示灯３２０ａは、制御ユニット３１２ａからの点灯指令信号に従って、点灯させるランプの色を選択している。
【００４９】
三方向ダクトユニット３２１ａは、主に、三方向ダクトおよび三方向振分機から構成されている。三方向振分機（図示せず）は、制御ユニット３１２ａから指令に従って、回収リフト３１９ａによりリフトアップされた遊技媒体ＰＭを、三方向ダクトのいずれかのダクトを介して洗浄機３１５ａ、左側島間補給コンベヤ３２２ａ、右側島間補給コンベヤ３２２ａのいずれかに振り分ける。
【００５０】
島間補給コンベヤ３２２ａには、左側島間補給コンベヤ３２２ａおよび右側島間補給コンベヤ３２２ａが存在する。これらの島間補給コンベヤ３２２ａは、制御ユニット３１２ａから指令に従って、三方向ダクトユニット３２１ａの三方向振分機により振り分けられた遊技媒体ＰＭを、遊技媒体補給ユニット３１０Ｂや遊技媒体補給ユニット３１０Ｃに搬送する。
【００５１】
（３−２）遊技媒体搬送コンベヤ
上述の通り、遊技媒体搬送コンベヤ３５０Ａは遊技媒体補給ユニット３１０Ａと遊技媒体補給ユニット３１０Ｂとを遊技媒体受渡（相互補給）可能に接続しており、遊技媒体搬送コンベヤ３５０Ｂは遊技媒体補給ユニット３１０Ｂと遊技媒体補給ユニット３１０Ｃとを遊技媒体受渡（相互補給）可能に接続している。
【００５２】
ここで、遊技媒体搬送コンベヤ３５０Ａは、遊技媒体補給ユニット３１０Ａの右側島間補給コンベヤ３２２ａおよび遊技媒体補給ユニット３１０Ｂの左側島間補給コンベヤから構成されている。また、遊技媒体搬送コンベヤ３５０Ｂは、遊技媒体補給ユニット３１０Ｂの右側島間補給コンベヤ３２２ａおよび遊技媒体補給ユニット３１０Ｃの左側島間補給コンベヤから構成されている。
【００５３】
（３−３）遊技媒体補給コンベヤ
遊技媒体補給コンベヤ３６０Ａ，３６０Ｂ，３６０Ｃは、図１および２に示されるように、遊技媒体補給ユニット３１０Ａ，３１０Ｂ，３１０Ｃの背面側から水平方向に沿って延びるコンベヤであって、遊技機１０Ａ，１０Ｂ，１０Ｃ、遊技媒体貸出機２０Ａ，２０Ｂ，２０Ｃの上側に配設されている。これらの遊技媒体補給コンベヤ３６０Ａ，３６０Ｂ，３６０Ｃは、遊技媒体補給ユニット３１０Ａ，３１０Ｂ，３１０Ｃの補給リフト３１８ａからリフトアップされてくる遊技媒体ＰＭを、遊技機１０Ａ，１０Ｂ，１０Ｃや、遊技媒体貸出機２０Ａ，２０Ｂ，２０Ｃに供給する役割を担っている。
【００５４】
以下、遊技媒体補給コンベヤ３６０Ａ，３６０Ｂ，３６０Ｃの構造等について詳述するが、複数台存在する遊技媒体補給コンベヤ３６０Ａ，３６０Ｂ，３６０Ｃは同様の構造を有するため、遊技媒体補給コンベヤ３６０Ａ，３６０Ｂ，３６０Ｃについては代表して符号３６０Ａを付した遊技媒体補給コンベヤについてのみ説明する。
【００５５】
遊技媒体補給コンベヤ３６０Ａは、図２に示されるように、主に、コンベヤ本体（図示せず）、複数のシャッターユニット３６１ａおよび複数の中継基板ユニット３６２ａから構成されている。シャッターユニット３６１ａは、コンベヤ本体上に配置され、コンベヤ本体により搬送されてきた遊技媒体ＰＭの進行方向を左または右に変えて遊技媒体ＰＭを遊技機１０Ａの遊技媒体貯留部１５０Ａまたは遊技媒体貸出機２０Ａの遊技媒体貯留部２５０Ａに落下させる。なお、このシャッターユニット３６１ａの開閉動作は、中継基板ユニット３６２ａによって制御される。中継基板ユニット３６２ａは、上述の通り、シャッターユニット３６１ａに通信接続されており、シャッターユニット３６１ａの開閉動作を制御する。また、この中継基板ユニット３６２ａは、遊技機１０Ａの遊技媒体貯留部１５０Ａのレベルセンサおよび遊技媒体貸出機２０Ａの遊技媒体貯留部２５０Ａのレベルセンサならびに遊技媒体補給ユニット３１０Ａの制御ユニット３１２ａにも通信接続されている。そして、この中継基板ユニット３６２ａは、レベルセンサから検知信号を受信すると、遊技媒体補給要求信号を生成し、その遊技媒体補給要求信号を遊技媒体補給ユニット３１０Ａの制御ユニット３１２ａに送信する。遊技媒体補給要求信号を受信した遊技媒体補給ユニット３１０Ａの制御ユニット３１２ａは、電源ユニット３１３ａから電源供給を受けて、内部のリレー基板（図示せず）により、補給タンクコンベヤ３１６ａ、補給リフト３１８ａおよび遊技媒体補給コンベヤ３６０Ａを作動させると共に、遊技媒体補給要求信号を送信した中継基板ユニット３６２ａに対してシャッターユニット３６１ａを制御させて、遊技媒体補給コンベヤ３６０Ａのコンベヤ本体上の遊技媒体ＰＭを遊技機１０Ａの遊技媒体貯留部１５０Ａまたは遊技媒体貸出機２０Ａの遊技媒体貯留部２５０Ａに落下させる。
【００５６】
（３−４）遊技媒体回収コンベヤ
遊技媒体回収コンベヤ３７０Ａ，３７０Ｂ，３７０Ｃは、図１および２に示されるように、遊技媒体補給ユニット３１０Ａ，３１０Ｂ，３１０Ｃの背面側から水平方向に沿って延びるコンベヤであって、遊技機１０Ａ，１０Ｂ，１０Ｃ、遊技媒体貸出機２０Ａ，２０Ｂ，２０Ｃの下側に配設されている。これらの遊技媒体回収コンベヤ３７０Ａ，３７０Ｂ，３７０Ｃは、遊技機１０Ａの遊技媒体貯留部１５０Ａの貯留タンクからオーバーフローした遊技媒体ＰＭを遊技媒体補給ユニット３１０Ａ，３１０Ｂ，３１０Ｃまで搬送する役目を担っている。
【００５７】
（３−５）計数機
計数機３８０は、主に、遊技媒体投入部（図示せず）および遊技媒体検知部（図示せず）から構成されている。遊技媒体投入部は、遊技媒体ＰＭが投入される部位であって、投入された遊技媒体ＰＭの姿勢を整えると共に、複数の遊技媒体ＰＭが投入された場合、その複数の遊技媒体ＰＭを一つずつ遊技媒体検知部に供給するように構成されている。遊技媒体検知部には、遊技媒体投入部に投入された遊技媒体ＰＭが通過する。そして、この遊技媒体検知部は、その通過する遊技媒体ＰＭを計数する。なお、この遊技媒体検知部は計数機制御部（図示せず）に通信接続されており、遊技媒体検知部において計数された遊技媒体ＰＭの数の情報は、計数機制御部を介して数量表示部（図示せず）に送信されて表示される。
【００５８】
（３−６）計数タンク
計数タンク３９０は、主に、貯留容器（図示せず）および搬送コンベヤ（図示せず）から構成されている。貯留容器には、計数機３８０の遊技媒体計数部を通過した遊技媒体ＰＭが一時的に貯蔵される。搬送コンベヤは、貯留容器中の遊技媒体ＰＭを、一定速度で遊技媒体補給ユニット３１０Ａの回収リフト３１９ａの遊技媒体受け口へ搬送する。その後、遊技媒体受け口へ搬送された遊技媒体ＰＭは、回収リフト３１９ａによってリフトアップされ、洗浄機３１５ａを経て補給タンク３１４ａに貯留される。
【００５９】
＜遊技媒体補給ユニットの表示ユニットの各種画面と機能＞
遊技媒体補給ユニット３１０Ａの表示ユニット３１１ａには、メイン画面として、図８に示される画面Ｄｍが表示される。図８に示されるように、メイン画面Ｄｍには、運転状態や、補給タンク中の遊技媒体ＰＭの貯留量、遊技媒体ＰＭの供給流れ等の情報が表示されると共に、その左右脇に画面遷移用の矢印が表示されている。なお、図８には、遊技媒体補給ユニット３１０Ｂのメイン画面Ｄｍが示されている。そして、ここで、「ＵＮＩＴ１」との文字列の下側の左向き矢印を使用者が指でタップすると、画面が遊技媒体補給ユニット３１０Ａのメイン画面Ｄｍに切り換わり、「ＵＮＩＴ３」との文字列の下側の右向き矢印を使用者が指でタップすると、画面が遊技媒体補給ユニット３１０Ｃのメイン画面Ｄｍに切り換わる。すなわち、使用者は、遊技媒体補給ユニット３１０Ａの表示ユニット３１１ａに表示されるメイン画面Ｄｍを利用することによって、全ての遊技媒体補給ユニット３１０Ａ，３１０Ｂ，３１０Ｃや全ての島ＩＬａ，ＩＬｂ，ＩＬｃの状態を管理することができる。
【００６０】
遊技機システム１のいずれかの箇所にエラーが生じた場合、そのエラー発生場所を管轄する遊技媒体補給ユニット３１０Ａ，３１０Ｂ，３１０Ｃに対応するメイン画面Ｄｍにエラー情報が表示される。例えば、符号ＩＬｂで示される島内でエラーが生じた際は、遊技媒体補給ユニット３１０Ｂに対応するメイン画面Ｄｍにエラー報知情報が表示されることになる。なお、遊技媒体搬送コンベヤ３５０Ａ，３５０Ｂにエラーが生じた場合、遊技媒体を供給する側の遊技媒体補給ユニット３１０Ａ，３１０Ｂ，３１０Ｃに対応するメイン画面Ｄｍにエラー報知情報が表示される。すなわち、遊技媒体補給ユニット３１０Ｃから遊技媒体補給ユニット３１０Ｂに遊技媒体ＰＭが供給されている際に遊技媒体搬送コンベヤ３５０Ｂにエラーが生じた場合、遊技媒体補給ユニット３１０Ｃに対応するメイン画面Ｄｍにエラー報知情報が表示されることになる。なお、エラーの解除方法については後述する。
【００６１】
上記メイン画面Ｄｍの左上隅の部分が使用者によってタップされると、画面がパスワード入力画面に遷移する。そして、使用者がそのパスワード入力画面において正しいパスワードを入力して確定ボタンをタップすると、表示ユニット３１１ａに、図９に示されるメニュー画面Ｄｎが表示される。このメニュー画面Ｄｎには、図９に示されるように、リモート運転ボタンや、清掃交換確認ボタン、メンテナンス確認ボタン、設定ボタン、洗浄運転ボタン、履歴表示ボタン、保守ボタン、メニュー終了ボタンが表示されている。
【００６２】
使用者によってリモート運転ボタンがタップされると、画面がリモート運転設定画面に遷移する。このリモート運転設定画面では、遊技媒体補給ユニット３１０Ａ，３１０Ｂ，３１０Ｃから遊技機１０Ａ，１０Ｂ，１０Ｃ、遊技媒体貸出機２０Ａ，２０Ｂ，２０Ｃへの遊技媒体ＰＭの補給運転をマニュアル操作することができたり、遊技媒体補給ユニット３１０Ａ，３１０Ｂ，３１０Ｃ間の遊技媒体ＰＭの補給運転をマニュアル操作することができたりする。そして、前者において遊技媒体ＰＭの補給運転がマニュアル化された場合、遊技媒体ＰＭの補給対象機の優先順位の変更や、補給禁止設定機への単発補給を実施することができ、後者において遊技媒体ＰＭの補給運転がマニュアル化された場合、遊技媒体補給ユニット３１０Ａ，３１０Ｂ，３１０Ｃ間の遊技媒体ＰＭの強制補給を実施することができる。
【００６３】
使用者によってメンテナンス確認ボタンがタップされると、画面がメンテナンス確認画面に遷移する。このメンテナンス確認画面には、洗浄機の種別、洗浄機の清掃目安時間、洗浄機の使用時間、集塵機の種別、集塵機の交換部品の交換目安時間、集塵機の交換部品の使用時間等の情報が表示される。
【００６４】
使用者によって設定ボタンがタップされると、画面が設定画面Ｄｓに遷移する。この設定画面Ｄｓには、図１０に示されるように、補給禁止設定ボタン、洗浄機停止設定ボタン、島間補給設定ボタン、時計設定ボタン、パスワード設定ボタン、ウェット日設定ボタンおよびメニューボタンが表示されている。そして、使用者によって補給禁止設定ボタンがタップされると、画面が補給禁止設定画面に遷移する。補給禁止設定画面では、遊技媒体ＰＭの補給を禁止する遊技機１０Ａ，１０Ｂ，１０Ｃおよび遊技媒体貸出機２０Ａ，２０Ｂ，２０Ｃを設定することができる。なお、この補給禁止設定画面では、全ての島ＩＬａ，ＩＬｂ，ＩＬｃに属する遊技機１０Ａ，１０Ｂ，１０Ｃおよび遊技媒体貸出機２０Ａ，２０Ｂ，２０Ｃに対して補給禁止設定を行うことができる。また、使用者によって洗浄機停止設定ボタンがタップされると、画面が洗浄機停止設定画面に遷移する。この洗浄機停止設定画面では、ブラシユニット等の洗浄機の一時的な使用禁止と解除を選択することができる。使用者によって島間補給設定ボタンがタップされると、画面が島間補給設定画面に遷移する。島間補給設定画面では、遊技媒体補給ユニット３１０Ａ，３１０Ｂ，３１０Ｃ間の遊技媒体ＰＭの供給に関する設定を行うことができる。また、使用者によって時計設定ボタンがタップされると、画面が時計設定画面に遷移する。時計設定画面では、時刻設定を行うことができる。また、使用者によってパスワード設定ボタンがタップされると、画面がパスワード設定画面に遷移する。パスワード設定画面では、メイン画面Ｄｍからメニュー画面Ｄｎへ画面遷移させる際、および、メニュー画面Ｄｎから保守画面に画面遷移させる際に必要なパスワードの設定や変更を行うことができる。また、使用者によってウェット日設定ボタンがタップされると、画面がウェット日設定画面に遷移する。ウェット日設定画面では、洗浄機としてウェットクロスユニットが配設されている場合、そのウェットクロスユニットのクロスウェット作業を促す警告画面を画面に表示させる曜日や時刻を設定することができる。また、使用者によってメニューボタンがタップされると、画面がメニュー画面Ｄｎに戻る。
【００６５】
使用者によって洗浄運転ボタンがタップされると、画面が洗浄運転画面に遷移する。この洗浄運転画面には、個別洗浄ボタンおよび一括洗浄ボタンが表示されている。そして、使用者によって個別洗浄ボタンがタップされると、画面が遊技媒体補給ユニット３１０Ａ，３１０Ｂ，３１０Ｃの選択画面に遷移する。そして、この選択画面において使用者が選択した遊技媒体補給ユニット３１０Ａ，３１０Ｂ，３１０Ｃの補給タンク中の遊技媒体ＰＭが洗浄機３１５ａによって洗浄される。この際、遊技媒体ＰＭは、補給タンクコンベヤ３１６ａによって補給タンク３１４ａから回収リフト３１９ａへ排出された後、回収リフト３１９ａによって三方向ダクトユニット３２１ａまでリフトアップされ、三方向振分機によって洗浄機３１５ａへ投入される。また、使用者によって一括洗浄ボタンがタップされると、全ての遊技媒体補給ユニット３１０Ａ，３１０Ｂ，３１０Ｃの補給タンク中の遊技媒体ＰＭが洗浄機３１５ａによって洗浄される。この際の遊技媒体ＰＭの流れは上述の通りである。
【００６６】
使用者によって履歴表示ボタンがタップされると、画面が履歴表示画面に遷移する。この履歴表示画面には、当日補給回数ボタン、エラー履歴ボタン、イベント履歴ボタン等が表示されている。使用者によって当日補給回数ボタンがタップされると、当日の遊技媒体ＰＭの補給回数が表示される。使用者によってエラー履歴ボタンがタップされると、エラーの履歴情報が表示される。使用者によってイベント履歴ボタンがタップされると、イベントの履歴情報が表示される。
【００６７】
使用者によって保守ボタンがタップされると、遊技媒体補給ユニット３１０Ａ，３１０Ｂ，３１０Ｃが保守モードに移行すると共に、画面が保守メニュー画面に遷移する。なお、保守モードでは、通常の自動遊技媒体補給動作が中止し（すなわち、遊技媒体補給ユニット３１０Ａ，３１０Ｂ，３１０Ｃの駆動部や、遊技媒体補給コンベヤ３６０Ａ，３６０Ｂ，３６０Ｃ、遊技媒体回収コンベヤ３７０Ａ，３７０Ｂ，３７０Ｃが停止し）、遊技機システム１の保守を実施することができる状態となる。保守メニュー画面には、一連動作ボタンや、個別動作ボタン、システム設定ボタン、台番登録ボタン、履歴情報保存ボタン、システム初期化ボタン、時計設定ボタン、バージョン確認ボタン、ダウンロードボタンが表示されている。そして、使用者によって一連動作ボタンがタップされると、画面が一連動作設定画面に遷移する。この一連動作設定画面では、遊技機システム１内の装置の一連動作設定を行うことができる。また、使用者によって個別動作ボタンがタップされると、画面が個別動作設定画面に遷移する。この個別動作設定画面では、遊技機システム１内の装置の個別動作設定を行うことができる。また、使用者によってシステム設定ボタンがタップされると、画面がシステム設定画面に遷移する。このシステム設定画面では、遊技機システム１のシステム設定を行うことができる。また、使用者によって台番登録ボタンがタップされると、画面が台番登録画面に遷移する。この台番登録画面では、遊技機１０Ａ，１０Ｂ，１０Ｃおよび遊技媒体貸出機２０Ａ，２０Ｂ，２０Ｃに対して台番を付けたり変更したりすることができる。また、使用者によって履歴情報保存ボタンがタップされると、遊技媒体補給ユニット３１０Ａの制御ユニット３１２ａに内蔵される記憶装置に履歴情報を保存することができる。また、使用者によってシステム初期化ボタンがタップされると、遊技機システム１を初期化することができる。また、使用者によって時計設定ボタンがタップされると、画面が時計設定画面に遷移する。時計設定画面では、時刻設定を行うことができる。また、使用者によってバージョン確認ボタンがタップされると、画面がバージョン情報表示画面に遷移する。バージョン情報表示画面には、遊技媒体補給ユニット３１０Ａ，３１０Ｂ，３１０Ｃのバージョン情報が表示されている。また、使用者によってダウンロードボタンがタップされると、遊技媒体補給ユニット３１０Ａの制御ユニット３１２ａが通信インターフェイスを介して外部ネットワークに接続し、システムアップデートの必要性を確認して必要があればシステムアップデートを実行する。
【００６８】
使用者によってメニュー終了ボタンがタップされると、画面がメイン画面Ｄｍに遷移する。
【００６９】
＜遊技媒体補給ユニットにおけるエラー解除方法＞
以下、図１１のフローチャートを参照しながらエラー発生からエラー解除までの流れを説明する。
【００７０】
図１１のフローチャートにおいて、ステップＳ１では、遊技媒体補給ユニット３１０Ａの表示ユニット３１１ａにメイン画面Ｄｍ等の画面が表示される。ステップＳ２では、遊技媒体補給ユニット３１０Ａの制御ユニット３１２ａが、遊技機システム１のいずれかの箇所でエラーが発生したかを判断する。すなわち、遊技媒体補給ユニット３１０Ａの制御ユニット３１２ａは、表示ユニット３１１ａにおいて何らかの画面が表示されている状態では、常時エラー監視を行っている。そして、ステップＳ２の判断の結果、エラーが発生したと判断された場合、処理はステップＳ３に進む。一方、ステップＳ２の判断の結果、エラーが発生していないと判断された場合、処理はステップＳ１に戻る。ステップＳ３では、遊技媒体補給ユニット３１０Ａの制御ユニット３１２ａが、表示ユニット３１１ａにエラー情報を送信する。ステップＳ４では、表示ユニット３１１ａが画面上にエラー情報を表示する。ステップＳ５では、使用者がエラー情報中の詳細表示ボタンを押圧する。ステップＳ６では、表示ユニット３１１ａが画面上にエラーの詳細情報および解除方法を表示する。ステップＳ７では、使用者は、表示ユニット３１１ａの画面上に表示されたエラーの詳細情報および解除方法を参照しながらエラー解除処置を行う。使用者がエラー解除処置を完了したら、ステップＳ８で、使用者が表示ユニット３１１ａの画面上に表示されている解除ボタンをタップする。ステップＳ９では、遊技媒体補給ユニット３１０Ａの制御ユニット３１２ａが、解除確認動作を実施する。ステップＳ１０では、遊技媒体補給ユニット３１０Ａの制御ユニット３１２ａが、実際にエラーが解除されたかを判断する。ステップＳ１０の判断の結果、エラーが実際に解除されたと判断された場合、遊技機システム１を通常動作に戻す。ステップＳ１０の判断の結果、エラーが実際に解除されていないと判断された場合、処理はステップＳ４に戻る。
【００７１】
＜遊技媒体補給ユニットの一括制御の流れ＞
以下、図１２のフローチャートを参照しながら遊技媒体補給ユニットの一括制御の流れを説明する。
【００７２】
図１２のフローチャートにおいて、ステップＳ１１では、遊技媒体補給ユニット３１０Ａの表示ユニット３１１ａに、一括制御ボタンを表示する画面が表示される。なお、ここにいう「一括制御ボタン」とは、例えば、上述の補給禁止設定を決定するボタンや、一括洗浄ボタン、その他、全ての遊技媒体補給ユニット３１０Ａ，３１０Ｂ，３１０Ｃの動作モードをあるモード（例えば、運転モード等）から他のモード（例えば、保守モードや、洗浄機等のメンテナンスモード）に変更するボタン等のボタンである。ステップＳ１２では、遊技媒体補給ユニット３１０Ａの制御ユニット３１２ａが、一括制御の実行指令を受信したか否かを判断する。ステップＳ１２の判断の結果、制御ユニット３１２ａが一括制御の実行指令を受信した場合、制御ユニット３１２ａが一括制御対象の装置に一括制御指令信号を送信する。ステップＳ１２の判断の結果、制御ユニット３１２ａが一括制御の実行指令を受信していない場合、処理はステップＳ１１に戻る。ステップ１３の後、各種装置が一括制御モードに移行する。
【００７３】
＜第１実施形態に係る遊技機システムの特徴＞
（１）
第１実施形態に係る遊技機システム１では、３台の遊技媒体補給ユニット３１０Ａ，３１０Ｂ，３１０Ｃのうち遊技媒体補給ユニット３１０Ａにのみ表示ユニット３１１ａが設けられている。このため、この遊技機システム１では、従前の遊技機システムに比べ、遊技媒体補給ユニットの製造原価を低減することができる。また、この遊技機システム１では、エラー発生等のトラブルが発生したとき、使用者（例えば、ホールスタッフ等）は、迷うことなくただ１台の遊技媒体補給ユニット３１０Ａに向かえばよい。したがって、この遊技機システム１では、エラー等のトラブルが発生したとき、使用者は、向かうべき場所を容易に特定することができる。
【００７４】
（２）
第１実施形態に係る遊技機システム１では、遊技媒体補給ユニット３１０Ａ，３１０Ｂ，３１０Ｃに一括制御機能が搭載されている。このため、この遊技機システム１では、使用者（ホールスタッフ等）の作業性を向上させることができる。
【００７５】
〔変形例〕
（Ａ）
第１実施形態に係る遊技機１０Ａ，１０Ｂ，１０Ｃは上述の通りであるが、本発明の実施の形態に係る遊技機は、遊技媒体ＰＭの投入により遊技を実施することができ、大当たり等のイベントの発生によって遊技媒体ＰＭを排出するものであればよく、本発明の趣旨を損なわない限りその構造等は相違していてもかまわない。
【００７６】
第１実施形態に係る遊技機１０Ａ，１０Ｂ，１０Ｃは各島ＩＬａ，ＩＬｂ，ＩＬｃにおいて遊技媒体貸出機２０Ａ，２０Ｂ，２０Ｃと交互に配列されていたが、遊技機は、必ずしも遊技媒体貸出機と交互に配列される必要なく、遊技媒体貸出機の配置に関わらず自由に配置されてもかまわない。
【００７７】
（Ｂ）
第１実施形態に係る遊技媒体貸出機２０Ａ，２０Ｂ，２０Ｃは上述の通りであるが、本発明の実施の形態に係る遊技媒体貸出機は、貨幣ＭＮの投入により遊技媒体ＰＭを排出するものであればよく、本発明の趣旨を損なわない限りその構造等は相違していてもかまわない。なお、遊技媒体貸出機には、遊技媒体回収コンベヤへ遊技媒体ＰＭを流す構造が設けられていなくとも何ら差し支えない。
【００７８】
第１実施形態に係る遊技媒体貸出機２０Ａ，２０Ｂ，２０Ｃは各島ＩＬａ，ＩＬｂ，ＩＬｃにおいて遊技機１０Ａ，１０Ｂ，１０Ｃと交互に配列されていたが、遊技媒体貸出機は、必ずしも遊技機と交互に配列される必要なく、遊技機の配置に関わらず自由に配置されてもかまわない。
【００７９】
また、第１実施形態では遊技媒体貸出機として、貨幣貯留部を備える遊技媒体貸出機２０Ａ，２０Ｂ，２０Ｃが採用されたが、貨幣貯留部を備えない遊技媒体貸出機が採用されてもよい。かかる場合、貨幣投入部２１０Ａに投入された貨幣は、搬送装置等により島の端に設置される金庫へ搬送されたりする。
【００８０】
（Ｃ）
第１実施形態に係る遊技媒体補給ユニットは上述の通りであるが、本発明の実施の形態に係る遊技媒体補給ユニットは、遊技媒体回収コンベヤ３７０Ａ，３７０Ｂ，３７０Ｃから遊技媒体ＰＭを回収する機能や、遊技媒体補給コンベヤ３６０Ａ，３６０Ｂ，３６０Ｃへ遊技媒体ＰＭを供給する機能、遊技媒体補給ユニット間で遊技媒体ＰＭをやり取りする機能を備えているものであればよく、本発明の趣旨を損なわない限りその構造等は相違していてもかまわない。
【００８１】
（Ｄ）
第１実施形態に係る遊技媒体補給ユニット３１０Ａには表示ユニット３１１ａが固定的に取り付けられていたが、遊技媒体補給ユニット３１０Ａに表示ユニット３１１ａが着脱可能に取り付けられてもよい。かかる場合、表示ユニット３１１ａに電池等の電源や、制御ユニットへの通信接続部を内蔵させる必要がある。通信接続部としては、例えば、有線ＬＡＮやＵＳＢポート等の有線接続ポート、無線ＬＡＮやブルートゥース（登録商標）等の無線接続モジュール等が挙げられる。なお、通信接続部として有線接続ポートが採用される場合、充電も行うことができるＵＳＢポートを採用すれば充電用ポートが不要となり好ましい。また、通信接続部として無線接続モジュールが採用される場合、無線充電を採用することが好ましい。表示ユニット３１１ａをこのような形態とすれば、使用者（例えば、ホールスタッフ等）は、エラー発生箇所に表示ユニット３１１ａを持参してそこでエラー解除方法を参照しながらエラー解除作業を行うことができる。
【００８２】
（Ｅ）
第１実施形態に係る遊技媒体補給ユニット３１０Ａには表示ユニット３１１ａが固定的に取り付けられていたが、表示ユニット３１１ａが遊技媒体補給ユニット３１０Ａから完全に独立したかたちで設けられてもよい。すなわち、全ての遊技媒体補給ユニット３１０Ａ，３１０Ｂ，３１０Ｃに表示ユニットが取り付けられておらず、表示ユニット３１１ａが別体として存在するということである。かかる場合、表示ユニット３１１ａに電池等の電源や、制御ユニットへの通信接続部を内蔵させる必要がある。通信接続部としては、例えば、有線ＬＡＮやＵＳＢポート等の有線接続ポート、無線ＬＡＮやブルートゥース（登録商標）等の無線接続モジュール等が挙げられる。なお、有線接続ポートとして、充電も行うことができるＵＳＢポートを採用すれば充電ポートが不要となり好ましい。表示ユニット３１１ａをこのような形態とすれば、使用者（例えば、ホールスタッフ等）は、エラー発生箇所に表示ユニット３１１ａを持参してそこでエラー解除方法を参照しながらエラー解除作業を行うことができる。
【００８３】
かかる場合、表示ユニット３１１ａは、遊技媒体補給ユニット３１０Ａ，３１０Ｂ，３１０Ｃのうち１台または２台の遊技媒体補給ユニットの制御ユニットにのみ通信接続することができるようにされていてもよいし、全ての遊技媒体補給ユニット３１０Ａ，３１０Ｂ，３１０Ｃの制御ユニットに無線通信接続することができるようにされていてもよい。
【００８４】
（Ｆ）
第１実施形態では言及しなかったが、例えば、メイン画面Ｄｍ等の画面に洗浄機一括停止ボタンを設けてもよい。使用者によってこの洗浄機一括停止ボタンがタップされると、全ての遊技媒体補給ユニット３１０Ａ，３１０Ｂ，３１０Ｃの洗浄機３１５ａが停止する。
【００８５】
（Ｇ）
第１実施形態に係る遊技媒体補給ユニット３１０Ａではバージョン情報表示画面において使用者によってダウンロードボタンがタップされると、遊技媒体補給ユニット３１０Ａの制御ユニット３１２ａが通信インターフェイスを介して外部ネットワークに接続し、システムアップデートの必要性を確認して必要があればシステムアップデートを実行したが、バージョン情報表示画面にローカルアップデートボタンを設けて、使用者によってローカルアップデートボタンがタップされると、遊技媒体補給ユニット３１０Ａの制御ユニット３１２ａが、記録媒体差込ポートに接続された記録媒体（例えば、ＵＳＢメモリ等）からシステムアップデート情報を読み取ってシステムアップデートを実行するようにしてもよい。
【００８６】
−第２実施形態−
第２実施形態に係る遊技機システムは、遊技媒体補給ユニットを除いて第１実施形態に係る遊技機システム１と同様である。このため、第２実施形態に係る遊技機システム４０１については遊技媒体補給ユニットのみを説明する。
【００８７】
図１３に示されるように、第２実施形態に係る遊技機システム４０１を構成する遊技媒体補給ユニット４１０Ａ，４１０Ｂ，４１０Ｃにはそれぞれ表示ユニット４１１ａ，４１１ｂ，４１１ｃが着脱自在に設けられている。そして、これらの表示ユニット４１１ａ，４１１ｂ，４１１ｃには、電池等の電源、制御ユニットへの無線通信接続するための無線通信接続部、および、ＵＳＢポート等の充電機能付き接続ポート等が内蔵されている。無線通信接続部としては、例えば、無線ＬＡＮやブルートゥース（登録商標）等の無線接続モジュール等が挙げられる。すなわち、これらの表示ユニット４１１ａ，４１１ｂ，４１１ｃは、各遊技媒体補給ユニット４１０Ａ，４１０Ｂ，４１０Ｃの制御ユニットに無線通信接続することができる。言い換えると、表示ユニット４１１ａは遊技媒体補給ユニット４１０Ａにのみ無線通信接続されており、表示ユニット４１１ｂは遊技媒体補給ユニット４１０Ｂにのみ無線通信接続されており、表示ユニット４１１ｃは遊技媒体補給ユニット４１０Ｃにのみ無線通信接続されている。このため、第２実施形態に係る表示ユニット４１１ａ，４１１ｂ，４１１ｃでは、第１実施形態に係るメイン画面Ｄｍのように画面切換機能が備わっておらず、各遊技媒体補給ユニット４１０Ａ，４１０Ｂ，４１０Ｃ向けのメイン画面が用意されている。したがって、第２実施形態に係る遊技媒体補給ユニット４１０Ａ，４１０Ｂ，４１０Ｃには、一括制御機能が搭載されていない。また、これらの表示ユニット４１１ａ，４１１ｂ，４１１ｃは、遊技媒体補給ユニット４１０Ａ，４１０Ｂ，４１０Ｃに装着されている状態で充電機能付き接続ポートに接続可能となっており、電源を充電することができる。
【００８８】
＜第２実施形態に係る遊技機システムの特徴＞
第２実施形態に係る遊技機システム４０１では、遊技媒体補給ユニット４１０Ａ，４１０Ｂ，４１０Ｃの表示ユニット４１１ａ，４１１ｂ，４１１ｃが着脱自在とされている。このため、この遊技機システム４０１では、エラー発生等のトラブルが発生したとき、使用者（ホールスタッフ等）が表示ユニット４１１ａ，４１１ｂ，４１１ｃを持ち運ぶことができる。したがって、この遊技機システム４０１では、エラー発生等のトラブルが発生したとき、使用者（ホールスタッフ等）がトラブル発生箇所−遊技媒体補給ユニット間を行ったり来たりしなければならないことを抑制することができる。
【００８９】
〔変形例〕
（Ａ）
第２実施形態に係る遊技機システム４０１にも第１実施形態の変形例（Ａ）〜（Ｃ）が適用され得る。
【００９０】
（Ｂ）
第２実施形態に係る遊技機システム４０１では表示ユニット４１１ａ，４１１ｂ，４１１ｃが各遊技媒体補給ユニット４１０Ａ，４１０Ｂ，４１０Ｃの制御ユニットに無線通信接続されており、遊技媒体補給ユニット４１０Ａ，４１０Ｂ，４１０Ｃには一括制御機能が搭載されていなかったが、表示ユニット４１１ａ，４１１ｂ，４１１ｃが遊技媒体補給ユニット４１０Ａ，４１０Ｂ，４１０Ｃのいずれの制御ユニットにも無線通信接続することができるようにされていてもよい。そして、この際、各表示ユニット４１１ａ，４１１ｂ，４１１ｃに、第１実施形態に係るメイン画面Ｄｍのような画面切換機能を付加し、遊技媒体補給ユニット４１０Ａ，４１０Ｂ，４１０Ｃに一括制御機能を搭載するようにしてもよい。
【００９１】
（Ｃ）
第２実施形態に係る遊技媒体補給ユニット４１０Ａ，４１０Ｂ，４１０Ｃには表示ユニット４１１ａ，４１１ｂ，４１１ｃが着脱自在に取り付けられていたが、表示ユニット４１１ａ，４１１ｂ，４１１ｃが遊技媒体補給ユニット４１０Ａ，４１０Ｂ，４１０Ｃから完全に独立したかたちで設けられてもよい。すなわち、全ての遊技媒体補給ユニット４１０Ａ，４１０Ｂ，４１０Ｃに表示ユニットが取り付けられておらず、表示ユニット４１１ａ，４１１ｂ，４１１ｃがそれぞれ別体として存在するということである。
【００９２】
かかる場合、各表示ユニット４１１ａ，４１１ｂ，４１１ｃは、全ての遊技媒体補給ユニット４１０Ａ，４１０Ｂ，４１０Ｃの制御ユニットに無線通信接続することができるようにされるのが好ましい。また、この際、各表示ユニット４１１ａ，４１１ｂ，４１１ｃに第１実施形態に係るメイン画面Ｄｍのような画面切換機能を付加し、一括制御機能を搭載するようにしてもよい。さらに、この際、表示ユニットを４台以上設けるようにしてもよい。このようにすれば、使用者（ホールスタッフ等）各人が表示ユニットを保持することができ、使用者の作業性を向上させることができる。
【００９３】
（Ｄ）
第２実施形態に係る表示ユニット４１１ａ，４１１ｂ，４１１ｃにはＵＳＢポート等の充電機能付き接続ポートが内蔵されていたが、これに代えて無線充電モジュールが内蔵されていてもよい。
【符号の説明】
【００９４】
１      遊技機システム（遊技媒体管理システム）
１０Ａ    遊技機（遊技媒体排出装置）
１０Ｂ    遊技機（遊技媒体排出装置）
１０Ｃ    遊技機（遊技媒体排出装置）
２０Ａ    遊技媒体貸出機（遊技媒体排出装置）
２０Ｂ    遊技媒体貸出機（遊技媒体排出装置）
２０Ｃ    遊技媒体貸出機（遊技媒体排出装置）
３１０Ａ    遊技媒体補給ユニット（遊技媒体補給装置）
３１０Ｂ    遊技媒体補給ユニット（遊技媒体補給装置）
３１０Ｃ    遊技媒体補給ユニット（遊技媒体補給装置）
３１１ａ    表示ユニット（情報表示制御装置）
３６０Ａ    遊技媒体補給コンベヤ（遊技媒体補給機構）
３６０Ｂ    遊技媒体補給コンベヤ（遊技媒体補給機構）
３６０Ｃ    遊技媒体補給コンベヤ（遊技媒体補給機構）
４０１      遊技機システム（遊技媒体管理システム）
４１０Ａ    遊技媒体補給ユニット（遊技媒体補給装置）
４１０Ｂ    遊技媒体補給ユニット（遊技媒体補給装置）
４１０Ｃ    遊技媒体補給ユニット（遊技媒体補給装置）
４１１ａ    表示ユニット（情報表示制御装置）
４１１ｂ    表示ユニット（情報表示制御装置）
４１１ｃ    表示ユニット（情報表示制御装置）
ＰＭ        遊技媒体
【図１】
2019134838.tif 000003
【図２】
2019134838.tif 000004
【図３】
2019134838.tif 000005
【図４】
2019134838.tif 000006
【図５】
2019134838.tif 000007
【図６】
2019134838.tif 000008
【図７】
2019134838.tif 000009
【図８】
2019134838.tif 000010
【図９】
2019134838.tif 000011
【図１０】
2019134838.tif 000012
【図１１】
2019134838.tif 000013
【図１２】
2019134838.tif 000014
【図１３】
2019134838.tif 000015